(57)【要約】【課題】従来の授乳服は見た目より授乳中である事が分かる物が多く、授乳期終了後に着づらくなってしまう。しかし普通の服では授乳時に洋服を持ち上げる為、肌を露出してしまい、外出時や訪問先で容易に授乳出来ない。授乳がスムーズに出来、なおかつ授乳期終了後も違和感なく普段着として着用出来る授乳服を考えた。【解決手段】胸元にファスナーを設け、ファスナーの開閉により目隠し布を出した状態と収納した状態があり、ファスナーのスライダーを頭合わせに２つ付けた事により、全開のみでなく自在に開閉具合を調節できる。ファスナーを開けたままでも目隠し布をスナップやボタンで留めれば、胸部を露出せず過ごす事が出来、スムーズに授乳出来る。ファスナーが閉じている時は普通の服と変わりない為、着る場所を選ばない。その結果、授乳期終了後も、普段着として違和感なく着ることが出来る。２ウェイタイプの授乳衣服。【選択図】図１
0003111548.tif 000002
【実用新案登録請求の範囲】
【請求項１】
前身ごろの胸元にファスナーのスライダーを頭合わせに２つ付けた事により、全開のみでなく自在に開閉具合を調節できる上、ファスナーを開閉する事により衣服の内側から外側に目隠し布を出し入れする事が出来、目隠し布がある事により胸部を露出せず授乳が出来る授乳衣服。
【請求項２】
ファスナーが閉じている時は、目隠し布が衣服の内側へ収納される為、見た目は普段着と変わりないが、ファスナーを全開にし、目隠し布を出した状態でスナップあるいはボタンを留めれば、胸部を露出せず過ごせ、授乳がスムーズに出来る、２ウェイタイプの授乳衣服。
【請求項３】
目隠し布の彎曲した形状やスナップ或いはボタンにより、サイドからも授乳時やファスナー全開時に胸部が露出しない請求項１，２が兼ね備えられている授乳衣服
【考案の詳細な説明】
【技術分野】
【０００１】  この発明は母乳を乳児に与える際、目隠し布をファスナーから出す事により胸部の露出を最小限に授乳する事が出来、更に目隠し布を収納した状態と、出した状態の２通りの着用方法がある。よって授乳期終了後も普段着として着用出来る２ウェイタイプの授乳衣服である。
【背景技術】
【０００２】従来の授乳服は授乳口が２ヶ所あり、授乳口を隠す為、覆う布が予め前身ごろの表側に存在し胸部から腹部の辺りで切り返しがある。
その為、見た目より授乳中である事が分かる授乳服が多い。登録実用新案登録３０８６５３１号  公報
また、胸部にファスナーが設けられている授乳服もあるが、ファスナー前面に覆い布があり、着用方法は１通りである。登録実用新案登録３０８８９９０号  公報
【考案の開示】
【考案が解決しようとする課題】
【０００３】以上で述べたように、従来の授乳服は見た目より授乳中である事が分かる物が多く、授乳後に着づらくなってしまう。
しかし普通の服では授乳時に洋服を持ち上げる為、胸部、腹部、腰部を露出してしまい、特に外出時や訪問先で容易に授乳出来ない。
家にいる時は容易に授乳が出来る形状が望ましい【０００４】本発明は従来の授乳服から発想の転換をし、授乳服の構成が有していた問題を解決しようとするものであり、授乳がスムーズに出来、なおかつ授乳期終了後も違和感なく普段着として着用出来る事を目的とした授乳衣服である。
【課題を解決するための手段】
【０００５】胸元にファスナーを設け、開閉する事で衣服の内側から外側へ目隠し布を出し入れする事が出来、目隠し布がある事により授乳時に胸部・腹部・腰部を露出せず授乳が出来る。【０００６】ファスナーが閉じている時は、目隠し布が衣服の内側へ収納される為、見た目は普段着と変わりない。ファスナーのスライダーを２つ頭合わせに付けた事により、全開のみでなく自在に開閉具合を調節できる。【０００７】更にファスナーを全開にし、目隠し布を出したままでも過ごせるよう、目隠し布の形状を工夫した事で、スナップやボタンを留めれば、胸部を露出せず過ごす事が出来、スムーズに授乳出来るようになった。
【考案の効果】
【０００８】上述したように本発明の授乳服は、授乳時は目隠し布により胸部・腹部・腰部を露出せず授乳が出来、なおかつファスナーの開閉により目隠し布を出した状態と収納した状態との変化があり、２ウェイタイプとなる。【０００９】その結果ファスナーが閉じている時は普通の服と変わりない為、着る場所を選ばない。【００１０】更に授乳期終了後も目隠し布を外せば、普段着として違和感なく着ることが出来る。
【考案を実施するための最良の形態】
【００１１】以下本発明の実施形態を図１〜図９に基づいて説明する。
【実施例１】
【００１２】実施例１は図１〜図７にて説明する。尚、実施例１は袖のある服で説明するが、ノースリーブでも可能である。また児の肌が直接触れる服である為、素材は綿、又は柔らかい物が好ましい。【００１３】また本発明はファスナーを使用する為、胸囲は多少余裕を持たせた方が望ましく、ファスナーは目立たない目の細かいものが望ましい。【００１４】図１に示すように前身ごろ上部１ａ・前身ごろ下部２ａの胸元に位置する間にファスナー３ａを設け、スライダー４ａを開閉する事により衣服の内側から外側に目隠し布５ａを出し入れする事が出来る。図７で示すように目隠し布５ａがある事により胸部を露出せず授乳が出来る。【００１５】またファスナーのスライダー４ａを頭合わせに２つ付けた事により自在に開閉具合を調節でき、全開にしなくても目隠し布を半分引き出せば、授乳時に胸部を露出しない。【００１６】更に図２・図３で示すように、ファスナー３ａを全開にし、目隠し布５ａを出した状態でスナップ６ａ・６ｂ・６ｃ・６ｄあるいはボタンを留めれば、胸部を露出せず過ごせ、授乳がスムーズに出来る。６ａ・６ｃのみスナップを留めても胸部は露出せず過ごせる。【００１７】図５・図７で示すように、目隠し布の彎曲した形状８により、授乳時やファスナーが開いている時も、サイドから胸部が露出しない。【００１８】目隠し布５ａは肩の縫い線Ａａで前身ごろ１ａと後身ごろ９の肩の縫い線Ａｂと共に縫着しても良いが、ファスナー４ａの縫い線と共に縫い付けても良い
【実施例２】
【００１９】概ね実施例１と同様だが、前身ごろ上部１ｂに前身ごろ上部１ｃ、又はレース等を縫い付ける事により、胸部のファスナーのラインがより目立たなくなる。【００２０】実施例２の場合，前身ごろ上部１ｃの縫い線Ｂａと共に目隠し布５ｂの縫い線Ｂｂを縫着しても目立たなくて良い。
【実施例３】
【００２１】前身ごろ上部１ｄと前身ごろ下部２ｃ目隠し布５ｃは同じ素材を用い、前身ごろの表面上に透ける素材の布を前身ごろ上部１ｄに１段、前身ごろ下部２ｃへ２段をフレアになる様に縫い合わせれば、更に授乳服としての違和感がなくなる。
【産業上の利用可能性】
【００２２】今まで同様の授乳服はなかった為、自宅で育児をしている母親のみならず、働く母乳育児の母親へも需要がある。【００２３】また飛行機など授乳場所がない所でも、他人の視線を気にせず授乳が出来る。
【図面の簡単な説明】
【００２４】
【図１】実施例１の目隠し布を収納した状態の正面図
【図２】実施例１のファスナーを全開にし、目隠し布を表面に出し広げた状態の正面図
【図３】実施例１の目隠し布を表面に出し、スナップを留めた状態の正面図
【図４】実施例１の目隠し布を表面に出し、目隠し布の裏面を表した正面図
【図５】実施例１の目隠し布を表面に出し、スナップで留めた状態の側面図
【図６】実施例１の目隠し布を表面に出し、持ち上げた状態の側面図
【図７】目隠し布の形状を表した正面図
【図８】実施例２の参考図
【図９】実施例３の参考図
【符号の説明】
【００２５】１ａ  前身ごろ上部
１ｂ  前身ごろ上部
１ｃ  前身ごろ上部
１ｄ  前身ごろ上部
２ａ  前身ごろ下部
２ｂ  前身ごろ下部
２ｃ  前身ごろ下部
３ａ  ファスナー
３ｂ  ファスナー
３ｃ  ファスナー
４ａ  スライダー
４ｂ  スライダー
４ｃ  スライダー
５ａ  目隠し布
５ｂ  目隠し布
５ｃ  目隠し布
６ａ  スナップボタン
６ｂ  スナップボタン
６ｃ  スナップボタン
６ｄ  スナップボタン
７    後身ごろ
８    目隠し布彎曲部
９    袖
Ａａ  縫着
Ａｂ  縫着
Ｂ    縫着
【図１】
0003111548.tif 000003
【図２】
0003111548.tif 000004
【図３】
0003111548.tif 000005
【図４】
0003111548.tif 000006
【図５】
0003111548.tif 000007
【図６】
0003111548.tif 000008
【図７】
0003111548.tif 000009
【図８】
0003111548.tif 000010
【図９】
0003111548.tif 000011